(57)【要約】【課題】マンモグラム撮影、ＣＴ撮影、トモシンセシス撮影、ステレオ撮影を行うことのできる乳房撮影装置を提供する。【解決手段】乳房撮影装置は、放射線を発生する放射線発生部と、放射線発生部から照射された放射線を検出する放射線検出部と、放射線発生部と放射線検出部を回転する回転部とを有する。回転部は、放射線発生部と放射線検出部が対向した状態を維持しながら回転する第１の形態と、放射線検出部に対して前記放射線発生部を移動させることにより、放射線発生部と放射線検出部を対向させた状態からずらす第２の形態と、を提供する。【選択図】  図１Ａ
2017012405.tif 000002
【特許請求の範囲】
【請求項１】
放射線を発生する放射線発生部と、
前記放射線発生部から照射された放射線を検出する放射線検出部と、
前記放射線発生部と前記放射線検出部を回転する回転部とを備え、
前記回転部は、
前記放射線発生部と前記放射線検出部が対向した状態を維持しながら回転する第１の形態と、
前記放射線検出部に対して前記放射線発生部を移動させることにより、前記放射線発生部と前記放射線検出部を対向させた状態からずらす第２の形態と、を提供することを特徴とする乳房撮影装置。
【請求項２】
前記回転部の回転面の第１の側から被検者の乳房を装置内へ挿入し、前記回転面の前記第１の側と反対の第２の側が、操作者が前記被検者の乳房へアクセス可能に開放されていることを特徴とする請求項１に記載の乳房撮影装置。
【請求項３】
前記回転部は、
前記放射線検出部が固定されたリング状の第１の回転フレームと、
前記放射線発生部が固定され、前記第１の回転フレームと独立して回転することが可能なリング状の第２の回転フレームと、を有し、
前記第１の回転フレームと前記第２の回転フレームが同時に回転することにより前記第１の形態が提供され、前記第１の回転フレームに対して前記第２の回転フレームを回転させることにより前記第２の形態が提供されることを特徴とする請求項１または２に記載の乳房撮影装置。
【請求項４】
前記回転部は、
前記放射線検出部が固定された回転フレームと、
前記回転フレームに固定され、前記放射線発生部が移動するガイドと、を備え、
前記回転フレームを回転することにより前記第１の形態が提供され、前記放射線発生部が前記ガイドに沿って移動することにより前記第２の形態が提供されることを特徴とする請求項１または２に記載の乳房撮影装置。
【請求項５】
前記第２の形態において前記放射線発生部が前記放射線検出部に対して移動する際に、前記放射線発生部からの放射線の照射野が前記放射線検出部に向かうように、前記放射線発生部を回動させる回動手段をさらに備えることを特徴とする請求項３または４に記載の乳房撮影装置。
【請求項６】
前記第２の形態において、前記放射線発生部が前記放射線検出部に対して移動する際に、前記放射線発生部からの放射線の照射野が前記放射線検出部に向かうように、前記放射線発生部による放射線の照射域を制限する遮蔽板をさらに備えることを特徴とする請求項４に記載の乳房撮影装置。
【請求項７】
前記ガイドは前記放射線検出部の検出面上に中心を持つ円弧形状を有することを特徴とする請求項４に記載の乳房撮影装置。
【請求項８】
前記放射線発生部と前記放射線検出部を対向させた状態でそれらを回転する前記第１の形態により、マンモグラム撮影またはＣＴ撮影が行われることを特徴とする請求項１乃至７のいずれか１項に記載の乳房撮影装置。
【請求項９】
前記回転部の回転動作時に不動となる構造に着脱可能な、被検者と前記乳房撮影装置とを隔てるための保護板をさらに備えることを特徴とする請求項１乃至８のいずれか１項に記載の乳房撮影装置。
【請求項１０】
前記第２の形態で前記放射線発生部を移動することにより、トモシンセシス撮影またはマンモグラムステレオ撮影が行われることを特徴とする請求項１乃至９のいずれか１項に記載の乳房撮影装置。
【請求項１１】
前記放射線発生部から照射される放射線の照射野が前記放射線検出部の検出面の矩形形状と一致するように、前記放射線の照射野の形状を変更するコリメータをさらに備えることを特徴とする請求項１乃至１０のいずれか１項に記載の乳房撮影装置。
【発明の詳細な説明】
【技術分野】
【０００１】
本発明は、放射線により乳房の撮影を行う乳房撮影装置に関する。
【背景技術】
【０００２】
乳がんの放射線検査装置における撮影方法として、圧迫板により乳房を圧迫して放射線撮影を行うマンモグラム撮影、
圧迫板により圧迫された乳房を複数の角度から放射線撮影して画像収集することにより三次元撮影を行うトモシンセシス撮影、
放射線発生部と放射線検出部を乳房の周囲で回転させてＣＴ画像を得る乳房専用のＣＴ撮影など
がそれぞれ知られている。
【０００３】
特許文献１には、コーンビームを用いて乳房のＣＴ撮影を行うＣＢＣＴ装置が開示されている。特許文献１のＣＢＣＴ装置によれば、乳房を挿入するための開口を通る回転軸を挟んで対向配置されたＸ線発生部とＸ線検出部が回転軸の周りを回転するように構成されている。特許文献２には、２つの向かい合う圧迫面の間で直立した患者の乳房を固定する固定化ユニットの周囲をＸ線源とＸ線受像機が回転可能となっており、マンモグラム撮影、乳房ＣＢＣＴ撮影および乳房トモシンセシス撮影が可能な構成が開示されている。特許文献３には、放射線発生部と放射線検出部を支持する支柱を円形とすることで、操作者が被検者の乳房を固定する際に乳房の正面からアプローチ可能とした装置が示されている。
【先行技術文献】
【特許文献】
【０００４】
【特許文献１】特開２０１０−０６８９２９号公報
【特許文献２】特開２０１３−５３８６６８号公報
【特許文献３】米国特許第４９２６４５３号明細書
【発明の概要】
【発明が解決しようとする課題】
【０００５】
特許文献１は乳房のＣＢＣＴ撮影を専門に行う撮影装置を開示しており、マンモグラム撮影など他の撮影方法での撮影はできない。特許文献２では、トモシンセシス撮影においてＸ線受像機がＸ線源とともに回転してしまう。そのため、Ｘ線受像機を固定したトモシンセシス撮影など他の撮影方法での撮影はできない。特許文献３では、操作者が装置を挟んで被検者と対向した位置から被検者乳房にアクセスすることができるが、ＣＴ撮影やトモシンセシス撮影など他の撮影方法での撮影はできない。
【０００６】
本発明は、マンモグラム撮影、ＣＴ撮影、トモシンセシス撮影を行うことのできる乳房撮影装置を提供することを目的とする。
【課題を解決するための手段】
【０００７】
上記の目的を達成するための本発明の一態様による乳房撮影装置は以下の構成を備える。すなわち、
放射線を発生する放射線発生部と、
前記放射線発生部から照射された放射線を検出する放射線検出部と、
前記放射線発生部と前記放射線検出部を回転する回転部とを備え、
前記回転部は、
前記放射線発生部と前記放射線検出部が対向した状態を維持しながら回転する第１の形態と、
前記放射線検出部に対して前記放射線発生部を移動させることにより、前記放射線発生部と前記放射線検出部を対向させた状態からずらす第２の形態と、を提供する。
【発明の効果】
【０００８】
本発明によれば、マンモグラム撮影、ＣＴ撮影、トモシンセシス撮影を行うことのできる乳房撮影装置が提供される。
【図面の簡単な説明】
【０００９】
【図１Ａ】実施形態による乳房撮影装置のマンモグラム撮影時（ＣＣ撮影）の外観を示す図。
【図１Ｂ】乳房撮影装置のマンモグラム撮影時（ＭＬＯ撮影）の外観を示す図。
【図２】乳房装置のＣＢＣＴ撮影時の外観を示す図。
【図３】乳房撮影装置のトモシンセシス撮影時の外観を示す図。
【図４】トモシンセシス撮影のための他の構造を示す図。
【図５】トモシンセシス撮影のための他の構造を示す図。
【図６】コリメータによる放射線の照射野の変形を説明する図。
【発明を実施するための形態】
【００１０】
以下、添付の図面を参照して本発明の好適な実施形態について説明する。
【００１１】
図１Ａ（ａ）、（ｂ）は、本実施形態による乳房撮影装置１００の構成例を示す外観図である。図１Ａ（ａ）、は乳房撮影装置１００の正面図、図１Ａ（ｂ）は乳房撮影装置１００の側面図である。固定用のベース板１１４に支柱１１１が設けられ、支柱１１１には昇降、チルト可能なように固定軸１１０が接続されている。固定軸１１０には円弧状の回転モータ１０９（リニアモータ）が取り付けられ、回転モータ１０９にベアリングを介して検出部回転フレーム１０４と発生部回転フレーム１０５が回転可能に接続されている。なお、ベース板１１４に車輪を設けて可搬型としてもよいし、固定用のベース板１１４をフロアに固定して据え置き型としてもよい。また、支柱１１１には、乳房撮影装置１００の各種状態や撮影条件等を表示するディスプレイ１１２や、操作者が乳房撮影装置に対して各種操作を行うための操作部１１３が設けられている。
【００１２】
検出部回転フレーム１０４には、放射線発生部１０１から照射された放射線を検出する放射線検出部１０２が検出部支持部１０７を介して固定されている。また、マンモグラム撮影時やトモシンセシス撮影時に乳房を圧迫するための圧迫板１０６を支持する圧迫板支持部１０８が、検出部回転フレーム１０４に対して着脱可能に配置、固定されている。圧迫板支持部１０８は、直接的または間接的に検出部回転フレーム１０４に固定される。たとえば、図１Ａ（ａ）（ｂ）では、圧迫板支持部１０８は検出部回転フレーム１０４に固定されている放射線検出部１０２あるいは検出部支持部１０７に固定されることにより、検出部回転フレーム１０４に対して間接的に固定されている。発生部回転フレーム１０５には、放射線を発生する放射線発生部１０１が発生部固定軸１１５を介して配置され、固定されている。放射線発生部１０１の放射線出力側には、出力される放射線の照射野の形状を整えるコリメータ１１６が設けられている。
【００１３】
検出部回転フレーム１０４と発生部回転フレーム１０５は、それらの回転中心が一致するように、すなわち、同心となるように配置され、固定フレーム１０３により保持されている。また、検出部回転フレーム１０４と発生部回転フレーム１０５の回転中心は、固定フレーム１０３の中心と一致している。放射線検出部１０２は放射線発生部１０１との距離を確保するため固定フレーム１０３の中心（回転フレームの回転中心）より撮影に支障のない範囲で外側に位置される。
【００１４】
検出部回転フレーム１０４と発生部回転フレーム１０５の回転位置を調整することにより、図１Ａ（ａ）に示されるように、放射線発生部１０１と放射線検出部１０２を、圧迫板１０６を挟んで対向する位置に配置することができる。この状態から、検出部回転フレーム１０４と発生部回転フレーム１０５を同時に同速度で回転することで、放射線発生部１０１と放射線検出部１０２を、対向した状態を維持させながら回転することができる。すなわち、放射線発生部１０１と放射線検出部１０２の位置関係を保持したまま任意の角度まで回転させ、その角度を維持することが可能である。また、検出部回転フレーム１０４と発生部回転フレーム１０５は単独で回転させることができる。したがって、たとえば発生部回転フレーム１０５を検出部回転フレーム１０４に対して回転させることで、それらが対向している状態（たとえば図１Ａ（ａ）の状態）から放射線発生部１０１の位置をずらすことができる。
【００１５】
以上のように、検出部回転フレーム１０４と発生部回転フレーム１０５は、放射線発生部１０１と放射線検出部１０２を回転する回転部を構成する。また、検出部回転フレーム１０４と発生部回転フレーム１０５により形成される回転部は、固定フレーム１０３により保持される。また、固定フレーム１０３と検出部回転フレーム１０４と発生部回転フレーム１０５の間隙にはそれぞれベアリングが配置される。固定フレーム１０３は、支柱１１１と固定され回転しない。また、固定フレーム１０３は、検出部回転フレーム１０４と発生部回転フレーム１０５を回転させるための機構として、電動駆動装置、ギア、ベルトにより回転する構成、もしくはリニアモーター等を用いて回転する構成を用いることができる。
【００１６】
以上のような回転部によれば、以下に示す第１の形態と第２の形態の動作が提供され、これらの動作形態を使い分けることによりマンモグラム撮影、ＣＴ撮影、トモシンセシス撮影、ステレオ撮影の各種撮影方法を実施することができる。
・第１の形態：放射線発生部１０１と放射線検出部１０２が対向した状態を維持しながら回転する。
・第２の形態：放射線検出部１０２に対して放射線発生部１０１を移動させることにより、放射線発生部１０１と放射線検出部１０２を上記の対向させた状態からずらす。
【００１７】
より具体的には、図１Ａに示される乳房撮影装置１００において、回転部は、
・放射線検出部１０２が固定されたリング状の第１の回転フレーム（検出部回転フレーム１０４）と、
・放射線発生部１０１が固定され、第１の回転フレームと独立して回転することが可能なリング状の第２の回転フレーム（発生部回転フレーム１０５）とを有する。
そして、第１の回転フレームと第２の回転フレームが同時に回転することにより第１の形態が提供され、第１の回転フレームに対して第２の回転フレームを回転させることにより第２の形態が提供される。
【００１８】
回転部の第１の形態の動作により、マンモグラム撮影またはＣＴ撮影（本実施形態ではコーンビームＣＴ撮影（以下、乳房ＣＢＣＴ撮影という））を実施することができる。また、回転部の第２の形態の動作により、トモシンセシス撮影または乳房ステレオ撮影を実施することができる。以下、回転部の動作の形態とこれらの撮影形態とについてより詳細に説明する。
【００１９】
まず、マンモグラム撮影時の乳房撮影装置１００の状態を図１Ａ（ａ）、図１Ｂにより説明する。マンモグラム撮影では、まず操作者が圧迫板１０６、圧迫板支持部１０８を乳房撮影装置１００に装着し、図１Ａ（ａ）に示すように、放射線発生部１０１と放射線検出部１０２が圧迫板１０６を挟んで対向する位置で固定する。この状態で、圧迫板１０６により乳房を圧迫し、放射線発生部１０１から放射線を照射し、放射線検出部１０２で放射線を検出する（放射線撮影）により、マンモグラム撮影における垂直方向（体軸方向）の撮影を行うことができる。なお、マンモグラム撮影における垂直方向の撮影をＣＣ撮影（Cranio-Caudal view）という。
【００２０】
また、放射線発生部１０１と放射線検出部１０２と圧迫板１０６の位置関係を維持したまま、垂直方向から約６５度の角度まで回転部を回転して放射線撮影を行うことで、ＭＬＯ（ＭＬＯはmedio-lateral oblique viewである。）撮影を行うことができる。この状態を図１Ｂに示す。すなわち、回転部を上述した第１の形態で動作することで、より具体的には、第１の回転フレーム（検出部回転フレーム１０４）と第２の回転フレーム（発生部回転フレーム１０５）を同時に回転することにより、ＭＬＯ撮影が行われる。
【００２１】
マンモグラム撮影では、それぞれの位置で被検者の乳房を放射線検出部１０２と圧迫板１０６で圧迫固定し、放射線発生部１０１より放射線を発生させて放射線撮影を行う。放射線撮影では、放射線検出部１０２は乳房を透過した放射線を検出し、デジタル信号に変換する。放射線検出部１０２で得られたデジタル信号は、各種画像処理が施され、診断用画像として提供される。なお、以下の全ての撮影の形態において、回転部の回転面の第１の側から被検者の乳房を装置内へ挿入させ、回転面の第１の側と反対の第２の側は、操作者が前記被検者の乳房へアクセス可能に開放されている。そのため、操作者は、撮影のために装置に挿入された被検者の乳房に容易にアクセスでき、操作性が向上する。
【００２２】
次に、乳房ＣＢＣＴ撮影について図２（ａ）（ｂ）を参照して説明する。図２（ａ）、図２（ｂ）は、乳房撮影装置１００における乳房ＣＢＣＴ撮影時の構成を示している。図２（ａ）は乳房撮影装置１００の正面図、図２（ｂ）は乳房撮影装置１００の側面図である。
【００２３】
乳房ＣＢＣＴ撮影においては、操作者が圧迫板１０６および圧迫板支持部１０８を乳房撮影装置１００から取り外し、乳房保持用のトレイ１２０を固定フレーム１０３または固定軸１１０に装着する。また、操作者は、図２（ｂ）に示されるように、回転する撮影構造から被検者を保護するために、被検者と乳房撮影装置１００とを隔てる保護板１２１を装置前面に装着する（図２（ａ）では不図示）。保護板１２１は、回転部の回転動作時に不動となる構造、たとえば、固定フレーム１０３に着脱可能に装着され、上述したマンモグラム撮影や後述するトモシンセシス撮影および乳房ステレオ撮影では取り外される。
【００２４】
保護板１２１は、中央に被検者乳房を挿入するための開口を有し、該開口から挿入された乳房はトレイ１２０により保持されるようになっている。また、保護板１２１は、回転部の回転面の第１の側（被検者の乳房が挿入される側）に配置され、操作者は、第１の側と反対の第２の側から装置内に挿入された被検者の乳房に容易にアクセスすることができる。なお、保護板１２１は、被検者を散乱放射線散から保護するように、金属、鉛ガラス等で構成されてもよいし、被検者の状態を第２の側から観察可能とするためにアクリルやプラスチック、鉛ガラス等の透明構造としてもよい。
【００２５】
放射線発生部１０１と放射線検出部１０２は、乳房を保持するトレイ１２０を挟んで対向する位置で固定される。また、被検者の乳房をトレイ１２０に保持させことにより、ＣＢＣＴの撮影領域の中央付近に撮影対象の乳房が保持される。放射線検出部１０２は固定フレーム１０３の中心付近に保持される被検者の乳房に近づくよう検出部支持部１０７により固定フレーム１０３の中心に向かって移動する。そして、放射線発生部１０１と放射線検出部１０２は、回転部が第１の形態で動作することによりそれらの位置関係を保持したまま回転し、ＣＴ撮影が行われる。
【００２６】
操作者は、保護板１２１の開口から挿入された被検者の乳房を乳房保持用のトレイ１２０に保持し、被検者に体位をできるだけ維持するように指示した後、撮影を開始する。放射線発生部１０１と放射線検出部１０２はトレイ１２０を挟んで対向する位置に検出部回転フレーム１０４と発生部回転フレーム１０５により支持される。そして、放射線発生部１０１と放射線検出部１０２は互いに位置関係を保持したまま１８０度以上回転しながら撮影を行う。回転しながら放射線発生部１０１は放射線を発生し、放射線検出部１０２は乳房を透過した放射線を検出し、検出した放射線量をデジタル信号に変換する。得られたデジタル信号にはＣＢＣＴ再構成および各種画像処理が施され、診断用の画像が提供される。
【００２７】
次に、乳房撮影装置１００によるトモシンセシス撮影について説明する。トモシンセシス撮影時はマンモグラム撮影と同様の形態で撮影を行うとともに、放射線発生部１０１をマンモグラム撮影位置を中心に左右に移動して、放射線の傾斜角（照射角度）を変更させながら複数個所で、繰り返し撮影を行う。このとき、放射線検出部１０２は移動しない。すなわち、トモシンセシス撮影では、回転部は上述の第２の形態で動作し、第１の回転フレーム（検出部回転フレーム１０４）に対して第２の回転フレーム（発生部回転フレーム１０５）を回転させる。乳房撮影装置１００は、放射線検出部１０２を固定としながら放射線発生部１０１を移動させ、放射線発生部１０１の複数の位置で放射線撮影を行う。以下、トモシンセシス撮影の動作について図３を参照して説明する。
【００２８】
図３は、本実施形態の乳房撮影装置１００によるトモシンセシス撮影を説明する図である。トモシンセシス撮影では、放射線発生部１０１と放射線検出部１０２が圧迫板１０６を挟んで対向する位置（図１（ａ）参照）を中心として、放射線発生部１０１が放射線検出部１０２に対し、図３中の左右方向に移動する。たとえば、乳房撮影装置１００は、発生部回転フレーム１０５を回転させて、垂直方向から５０度以内の角度まで放射線発生部１０１を左に（すなわち矢印１３１の方向へ）移動し、そこから右方向へ同角度まで位置を変更しながら複数回の撮影を行う。なお、放射線発生部１０１の移動は右から左でも左から右でもよい。
【００２９】
その際に、放射線検出部１０２（検出部回転フレーム１０４）は不動である。放射線検出部１０２の放射線検出面は放射線発生部１０１の回転中心に位置していないため、放射線発生部１０１から発生する放射線の照射野は照射角度が垂直方向（図１（ａ）の状態）から離れるほど外れてくる。そこで、乳房撮影装置１００には、放射線発生部１０１を回動させる回動機構が設けられている。回動機構は、回転部が上述した第２の形態で放射線発生部１０１を放射線検出部１０２に対して移動させる際に、放射線発生部１０１からの放射線の照射野１４１，１４２が放射線検出部１０２に向かうように放射線発生部１０１を回動させる。より具体的には、図３に示すように、放射線発生部１０１の照射野１４１，１４２が常に放射線検出部１０２に向かうように、放射線発生部１０１を回動させる。放射線発生部１０１を回動させる構成としては、たとえば、発生部固定軸１１５にモータを設置、あるいは、固定フレーム１０３もしくは検出部回転フレーム１０４上にギアの歯を設置して、移動距離に連動して放射線発生部１０１が回動する機構があげられる。
【００３０】
以上のようにして、トモシンセシス撮影では、垂直方向からの撮影と、複数の傾斜方向からの撮影が実施される。それぞれの撮影において、放射線検出部１０２は、放射線発生部１０１から出力され、乳房を透過した放射線を検出してデジタル信号に変換する。得られたデジタル信号には、トモシンセシス再構成および各種画像処理が施され、診断用の画像が提供される。
【００３１】
なお、乳房のステレオ撮影では、マンモグラム撮影に加え、トモシンセシス撮影と同様の撮影方法で任意の一点の撮影をマンモグラム撮影に追加して行う。たとえば、トモシンセシス撮影と同様の方法で放射線発生部１０１を２度から８度の角度で左右どちらかに移動させて撮影を行なうことによりマンモグラムステレオ画像を得ることができる。
【００３２】
以上のように、本実施形態の乳房撮影装置１００によれば、マンモグラム撮影、マンモＣＢＣＴ撮影、トモシンセシス撮影、ステレオ撮影が可能となる。
【００３３】
＜変形例１＞
上記実施形態では、トモシンセシス撮影において、放射線発生部１０１からの放射線の照射方向を垂直方向からずらした際に、発生部固定軸１１５により放射線発生部１０１を回動することにより、照射野が放射線検出部１０２に向かうようにした。しかしながら、照射野の方向を放射線検出部１０２に向かわせる構成はこれに限られるものではない。たとえば、放射線発生部１０１が放射線検出部１０２に対して移動する際に、放射線発生部１０１からの放射線の照射野が放射線検出部１０２に向かうように、放射線発生部１０１による放射線の照射域を制限する遮蔽板を用いてもよい。
【００３４】
図４は、乳房撮影装置１００においてトモシンセシス撮影する際の放射線発生部１０１の移動方向と照射野の形成を説明する図である。図３では、照射野を放射線検出部１０２に向けるために放射線発生部１０１を回動させた。これに対して、図４では、コリメータ１１６内の遮蔽板１４３を移動して遮蔽領域を制御することにより、放射線発生部１０１の照射野１４１，１４２が常に放射線検出部１０２に向かうようにしている。遮蔽板の動作はモータ等を用いて放射線発生部１０１の位置に連動して行われる。
【００３５】
＜変形例２＞
上記実施形態では、発生部回転フレーム１０５に放射線発生部１０１を固定し、発生部回転フレーム１０５を回転することにより放射線発生部１０１を移動して、回転部による第２の形態の動作を提供したがこれに限られるものではない。たとえば、回転部を、放射線検出部１０２が固定された検出部回転フレーム１０４と、検出部回転フレーム１０４に固定され、放射線発生部１０１が移動するガイドと、を用いて構成する。このような構成の回転部によれば、検出部回転フレーム１０４を回転することにより放射線発生部１０１と放射線検出部１０２が同時に回転し、回転部による上記第１の形態が提供される。また、放射線発生部１０１がガイドに沿って移動することにより、回転部による上記第２の形態が提供される。
【００３６】
図５は、変形例２による回転部を有する乳房撮影装置１００において、トモシンセシス撮影する際の様子を示している。放射線発生部１０１の移動には、発生部回転フレーム１０５は用いられず、上述したガイドとしての移動レール１３５が用いられる。移動レール１３５は検出部回転フレーム１０４に固定され、放射線発生部１０１は発生部固定軸１１５を介して移動レール１３５に配置され、移動レール１３５上を移動する。たとえば、放射線発生部１０１は、発生部固定軸１１５内に設置したモータの駆動により移動レール１３５上を自走する。移動レール１３５は、たとえば、放射線検出部１０２の検出面上に中心を持つ円弧形状を有する。より好ましくは、移動レール１３５は、放射線検出部１０２の検出面中心を中心に持つ円弧状の形状を有する。
【００３７】
以上のような構成によれば、放射線発生部１０１が移動レール１３５上を移動することで、回転部による第２の形態が提供され、放射線の照射野１４１，１４２の中心が常に放射線検出部１０２の検出面中心に向かうようなる。
【００３８】
＜変形例３＞
乳房撮影装置１００において、トモシンセシス撮影の際に、放射線発生部１０１から照射される放射線の照射野が放射線検出部１０２の検出面の矩形形状と一致するように、放射線の照射野の形状を変更するコリメータが放射線発生部１０１に設けられてもよい。
【００３９】
図６に示されるように、放射線発生部１０１の照射野が常に放射線検出部１０２の長方形の範囲と同一になるよう、コリメータ１１６内の複数の遮蔽板（不図示）を単独で移動させて、たとえば図６に示すような形状のコリメータ開口５０１とする。このように、照射野の形状を制御することで、画像に寄与しない被検者の被曝を低減することができる。なお、コリメータ１１６内の全ての遮蔽板を移動可能に構成しなくてもよい。たとえば、胸壁側に位置する遮蔽板を固定式とし、他の３方の遮蔽板はその位置、角度共に電動で移動可能としてもよい。また被検者の乳房の形状に合わせてコリメータ開口の形状を変更し、圧迫板に挟まれている乳房の存在する部分に放射線を照射し、他の部分に放射線が照射されないようにすることもできる。なお、被検者の乳房の形状は、たとえば光学式デジタルカメラで撮影して得ることができる。
【００４０】
以上のように、上記実施形態の乳房撮影装置１００によれば、放射線発生部１０１と放射線検出部１０２を対向させた状態でそれらを回転する第１の形態により、マンモグラム撮影とＣＴ撮影（マンモＣＢＣＴ撮影）を行うことができる。また、第２の駆動形態で放射線発生部１０１を移動することにより（放射線検出部１０２は固定された状態を維持）、トモシンセシス撮影またはマンモグラムステレオ撮影が行われる。すなわち、上記実施形態の乳房撮影装置１００によれば、立位或いは座位に対応した好適なマンモグラム撮影と、マンモグラムステレオ撮影とトモシンセシス撮影とＣＢＣＴ撮影が１台の装置で可能になる。そのため、撮影のスループットを上げると共に装置の設置面積を削減することが可能になる。
【００４１】
また、実施形態の乳房撮影装置１００によれば、ＣＢＣＴ撮影において、被検者の乳房が挿入される側と反対側から操作者が容易に被検者の乳房にアクセスすることができる。すなわち、ＣＢＣＴ撮影で乳房を固定する際に、操作者は被検者の前方より乳房にアプローチすることができ、容易に撮影が行えると共に装置内に挿入した被検者の乳房を直接観察することができる。そのため、腋窩の撮影が困難であるとされた一般的なＣＢＣT装置の課題が解決される。なお、腋窩とは腋の下の部分を指し、リンパ節への転移を確認する為にマンモグラム撮影では乳房と同時に撮影することが標準化されている。乳房部分で乳がんが疑われる場合は、リンパ節転移を確認することが標準的診断である。一般的なＣＢＣＴ装置では、被検者の乳房へのアプローチが容易ではなく、腋窩を撮影範囲に引き込むことが困難であった。
【００４２】
また、乳房撮影装置１００によれば、マンモグラム撮影で病変部が見つかった場合に、マンモグラムステレオ撮影、トモシンセシス撮影及びＣＢＣＴ撮影を同一の装置で行うことができ、検査のスループットが向上する。マンモ撮影、マンモグラムステレオ撮影およびトモシンセシス撮影により腋窩の撮影が可能になるのでリンパ節転移の確認を迅速に行える。被検者の乳房の乳腺が多く二次元画像では診断が困難なデンスブレストの場合や、マンモグラム撮影により立体構造の把握が必要な病変が疑われる場合には、マンモグラムステレオ撮影、トモシンセシス撮影またはＣＢＣＴ撮影を同一の装置で行える。
【００４３】
なお、上記各実施形態において、回転部を構成する固定フレーム１０３、検出部回転フレーム１０４や発生部回転フレーム１０５はリング状としたが、これに限られるものではない。たとえば、検出部回転フレーム１０４や発生部回転フレーム１０５は半円状のフレームであってもよい。また、たとえば固定フレーム１０３の外形は円形である必要はなく、矩形であってもよい。また、上記実施形態において、固定フレーム１０３が支柱１１１に対して横方向に装着された例を示したがこれに限ら得るものではなく、たとえば、支柱１１１の上部に固定軸１１０を介して固定フレーム１０３が固定された構成であってもよい。
【符号の説明】
【００４４】
１０１：放射線発生部、１０２：放射線検出部、１０３：固定フレーム、１０４：検出部回転フレーム、１０５：発生部回転フレーム、１０６：圧迫板、１０７：検出部支持部、１０８：圧迫板支持部、１０９：回転モータ、１１０：固定軸、１１１：支柱、１１２：ディスプレイ、１１３：操作部、１１４：ベース板、１１５：発生部固定軸、１１６：コリメータ、１２０：トレイ
【図１Ａ】
2017012405.tif 000003
【図１Ｂ】
2017012405.tif 000004
【図２】
2017012405.tif 000005
【図３】
2017012405.tif 000006
【図４】
2017012405.tif 000007
【図５】
2017012405.tif 000008
【図６】
2017012405.tif 000009